(57)【特許請求の範囲】
【請求項１】
舌部を巻き始めとして略一定の拡がり角を持つ曲線によって形成されるスクロールケーシングを備え、該スクロールケーシング内に羽根車が回転自在に設けられている多翼遠心ファンにおいて、
前記スクロールケーシングは、そのスクロール部の前記羽根車の回転軸と直角な断面形状が、前記舌部を起点として前記羽根車の回転方向に所定の中心角範囲で、前記拡がり角が略一定の曲線に対して拡がり角が漸次大きくされた後、再び前記拡がり角が略一定の曲線に一致される局所的な膨らみ部を備え、
該膨らみ部の内面には、内側に凸状とされた複数の突起が設けられていることを特徴とする多翼遠心ファン。
【請求項２】
前記膨らみ部は、前記舌部を起点とした中心角が前記スクロールケーシング２の巻き角の概ね１／４巻き角程度の範囲に設けられていることを特徴とする請求項１に記載の多翼遠心ファン。
【請求項３】
前記膨らみ部は、前記拡がり角が少なくとも１０°以上まで漸次大きくされた後、前記拡がり角が略一定の曲線に一致されるまで漸次小さくされていることを特徴とする請求項１または２に記載の多翼遠心ファン。
【請求項４】
前記膨らみ部は、前記舌部を起点とした回転方向への中心角をθＳとしたとき、前記拡がり角が最大となる位置が、１５°≦θＳ≦６０°の範囲に設定されていることを特徴とする請求項１ないし３のいずれかに記載の多翼遠心ファン。
【請求項５】
前記複数の突起は、その先端を繋いだ曲線が、前記拡がり角が略一定の曲線と概ね一致するように設けられていることを特徴とする請求項１ないし４のいずれかに記載の多翼遠心ファン。
【請求項６】
空気送風用のファンとして、請求項１ないし５のいずれかに記載されている多翼遠心ファンが搭載されていることを特徴とする空気調和機。
【発明の詳細な説明】
【技術分野】
【０００１】
本発明は、スクロールケーシングを備え、該スクロールケーシング内に羽根車が回転自在に設けられている多翼遠心ファンおよびそれを用いた空気調和機に関するものである。
【背景技術】
【０００２】
スクロール形状とされたケーシング内に複数枚のファンブレードを備えた羽根車が回転自在に設けられている多翼遠心ファンは、冷凍、空調あるいは換気装置等における送風用ファンとして、幅広く採用されている。かかる多翼遠心ファンにおいて、スクロールケーシング０１は、図５に示されるように、スクロール部（ケーシング側面）の羽根車０２の回転軸０４と直角な断面形状が、風路の起点となる舌部０５を巻き始めとして、一定の拡がり角を有するスクロール曲線によって形成されている。
【０００３】
すなわち、スクロールケーシング０１は、一般に、回転軸０４の中心から舌部０５までの半径をＲＯ、舌部０５を起点とした回転方向（時計回り方向）への任意の位置の角度（以下、中心角という。）をθ、この中心角θの位置における回転軸０４の中心からの半径をＲとしたとき、
Ｒ＝ＲＯ×ｅｘｐ（α・θ）、  ただし、α；拡がり角
で与えられる対数螺旋形状とされている。
【０００４】
このような多翼遠心ファンでは、羽根車０２が舌部０５付近を通過するとき、羽根車０２のブレード０３における負荷や流動状態が大きく変化するため、舌部０５を起点として巻き始めから或る角度の範囲において、スクロール部内での流れが不安定となって乱れやすく、この乱れの大きい気流（以下、高乱れ気流という。）がスクロールケーシング０１の内面と干渉することにより、騒音の発生や効率の低下を招く要因となっている。図５中の矢印範囲は、流れが不安定となりやすい範囲を示している。
【０００５】
こうした中、特許文献１には、上記式におけるスクロールケーシングの中心角θの補正値βを、５°〜１５°とするとともに、拡がり角αを、５．５°〜７°に設定することによって、性能向上と乱流騒音の低減を図ったものが提案されている。また、特許文献２には、スクロールケーシング内を気流が流れる際のエネルギー損失を抑制するために、ケーシング内の上面、底面および側面に羽根車の回転軸方向に沿った突条を含む多数の突起を設け、この突起の近傍を流れる気流を境界層内で乱流にして安定化させ、境界層の発達を防止することによって、エネルギー損失を抑制するとともに、低騒音化を図ったものが提案されている。
【先行技術文献】
【特許文献】
【０００６】
【特許文献１】特許第４１８３００５号公報
【特許文献２】特開２００２−５０９０号公報
【発明の開示】
【発明が解決しようとする課題】
【０００７】
しかしながら、特許文献１に示されるように、一定の拡がり角αを持つスクロールケーシングの拡がり角αを５．５°〜７°に設定するだけでは、仮に性能の向上が図れたとしても、高乱れ気流がスクロールケーシングの内面と干渉することで発生する騒音を十分低減することはできない。また、拡がり角αを大きくすることによって、スクロールケーシングの外形が大型化するというマイナス面も無視できない等の課題を有している。
【０００８】
さらに、特許文献２に示されるように、ケーシングの内面全体に突条や突起を設けたものでは、境界層内で気流を乱し、高乱れ気流による渦を分散させ、騒音を低減できるという機能を有するとしても、ケーシングの内面全域に流線と略直交する方向に突条もしくは突起を設けることによって、流れに対する抵抗が増大し、風量の低下やファン動力の増大等は避けられないという課題を有している。
【０００９】
本発明は、このような事情に鑑みてなされたものであって、舌部下流域での高乱れ気流による騒音を十分に低減できるとともに、ファン効率の低下を抑制することができる多翼遠心ファンおよびそれを用いた空気調和機を提供することを目的とする。
【課題を解決するための手段】
【００１０】
上記した課題を解決するために、本発明の多翼遠心ファンおよびそれを用いた空気調和機は、以下の手段を採用する。
すなわち、本発明にかかる多翼遠心ファンは、舌部を巻き始めとして略一定の拡がり角を持つ曲線によって形成されるスクロールケーシングを備え、該スクロールケーシング内に羽根車が回転自在に設けられている多翼遠心ファンにおいて、前記スクロールケーシングは、そのスクロール部の前記羽根車の回転軸と直角な断面形状が、前記舌部を起点として前記羽根車の回転方向に所定の中心角範囲で、前記拡がり角が略一定の曲線に対して拡がり角が漸次大きくされた後、再び前記拡がり角が略一定の曲線に一致される局所的な膨らみ部を備え、該膨らみ部の内面には、内側に凸状とされた複数の突起が設けられていることを特徴とする。
【００１１】
本発明によれば、舌部を巻き始めとして略一定の拡がり角を持つ曲線により形成されるスクロールケーシングにおいて、スクロール部の羽根車の回転軸と直角な断面形状が、舌部を起点として羽根車の回転方向に所定の中心角範囲で、拡がり角が略一定の曲線に対して拡がり角が漸次大きくされた後、再び拡がり角が略一定の曲線に一致される局所的な膨らみ部を備え、該膨らみ部の内面には、内側に凸状とされた複数の突起が設けられているため、羽根車が舌部付近を通過するとき、ブレードに対する負荷や流動状態が変化して羽根車から吹出される流れが不安定となって乱れ、その高乱れ気流がスクロールケーシングの内面と干渉することにより騒音発生やファン効率低下の要因となっていたが、該高乱れ気流を舌部下流域の所定の中心角範囲に設けられている局所的な膨らみ部によって減衰することにより、スクロールケーシング内面での圧力変動を小さくすることができる。従って、上記騒音を低減することができるとともに、ファン効率の低下を抑制することができる。また、膨らみ部の内面に設けた複数の突起によって膨らみ部を設けたことによるスクロールケーシングの有効流路面積の拡大をより滑らかにし、流路面積が急拡大することによる圧力損失の増大を抑えるとともに、羽根車から吹出される高乱れ気流による渦を突起によって分散し、スクロールケーシング内面に到達するまでに減衰することができ、その膨らみ部と突起との相乗効果によって、騒音低減効果を一段と向上することができる。
【００１２】
また、本発明の多翼遠心ファンは、上記の多翼遠心ファンにおいて、前記膨らみ部は、前記舌部を起点とした中心角が前記スクロールケーシング２の巻き角の概ね１／４巻き角程度の範囲に設けられていることを特徴とする。
【００１３】
本発明によれば、膨らみ部が、舌部を起点とした中心角がスクロールケーシング２の巻き角の概ね１／４巻き角程度の範囲に設けられているため、羽根車から吹出される気流が不安定となって乱れが生じやすい中心角が１／４巻き角程度の範囲のみで、ケーシングの拡がり角を大きくし、高乱れ気流を減衰して圧力変動を小さくすることができ、一方、膨らみ部の下流域では、スクロールケーシングの拡がり角を適正値として高性能を維持することができる。つまり、多翼遠心ファンでは、一般に、スクロールケーシングの拡がり角は、４°〜６°が適正値とされており、大きくし過ぎると性能低下することが判っているので、上記範囲のみで拡がり角を大きくすることによって、高性能を維持しながら、高乱れ気流による騒音の発生や効率の低下を抑制することができる。
【００１４】
さらに、本発明の多翼遠心ファンは、上述のいずれかの多翼遠心ファンにおいて、前記膨らみ部は、前記拡がり角が少なくとも１０°以上まで漸次大きくされた後、前記拡がり角が略一定の曲線に一致されるまで漸次小さくされていることを特徴とする。
【００１５】
本発明によれば、膨らみ部の拡がり角が、少なくとも１０°以上まで漸次大きくされた後、拡がり角が略一定の曲線に一致されるまで漸次小さくされているため、膨らみ部の拡がり角を１０°以上まで漸次拡大して膨らみ部の大きさを十分大きくすることにより、高乱れ気流に対しての減衰効果を高め、効率的に圧力変動を小さくすることができる。従って、より大きな騒音低減効果を得ることができる。
【００１６】
さらに、本発明の多翼遠心ファンは、上述のいずれかの多翼遠心ファンにおいて、前記膨らみ部は、前記舌部を起点とした回転方向への中心角をθＳとしたとき、前記拡がり角が最大となる位置が、１５°≦θＳ≦６０°の範囲に設定されていることを特徴とする。
【００１７】
本発明によれば、膨らみ部が、舌部を起点とした回転方向への中心角をθＳとしたとき、拡がり角が最大となる位置が、１５°≦θＳ≦６０°の範囲に設定されているため、舌部を最適位置に設定して、舌部におけるスクロールケーシングの巻き終り域からの逆流を抑制すると同時に、舌部の下流域で高乱れ気流による圧力変動が最大となる領域と膨らみ部の拡がり角が最大となる位置とを対応させることにより高乱れ気流の減衰効果を高め、効率的に圧力変動を小さくすることができる。従って、より大きな騒音低減効果を得ることができる。
【００１８】
さらに、本発明の多翼遠心ファンは、上述のいずれかの多翼遠心ファンにおいて、前記複数の突起は、その先端を繋いだ曲線が、前記拡がり角が略一定の曲線と概ね一致するように設けられていることを特徴とする。
【００１９】
本発明によれば、複数の突起の先端を繋いだ曲線が、拡がり角が略一定の曲線と概ね一致するように設けられているため、拡がり角を略一定とした曲線により形成されるスクロールケーシングに対し、スクロールケーシングの有効流路面積を実質的に一致させ、膨らみ部および突起を設けたことによる圧力損失の実質的な増加を無くすることができる。従って、拡がり角が略一定のものと実質的に同一の性能を得ながら、膨らみ部および突起を設けたことによる騒音低減効果およびファン効率低下抑制効果を得ることができる。
【００２０】
さらに、本発明にかかる空気調和機は、空気送風用のファンとして、上述のいずれかに記載されている多翼遠心ファンが搭載されていることを特徴とする。
【００２１】
本発明によれば、空気調和機に搭載される空気送風用のファンとして、上述のいずれかの多翼遠心ファンが搭載されているため、空気送風用のファンとして、上述の如く騒音を低減できるとともに、ファン効率の低下を抑制することが可能な多翼遠心ファンを搭載することができ、従って、運転音の低減およびファン効率の向上を図り、空気調和機の一層の低騒音化、高性能化を実現することができる。
【発明の効果】
【００２２】
本発明の多翼遠心ファンによると、羽根車が舌部付近を通過するとき、ブレードに対する負荷や流動状態が変化して羽根車から吹出される流れが不安定となって乱れ、その高乱れ気流がスクロールケーシングの内面と干渉することにより騒音発生やファン効率低下の要因となっていたが、この高乱れ気流を舌部下流域の所定の中心角範囲に設けられている局所的な膨らみ部によって減衰することにより、スクロールケーシング内面での圧力変動を小さくすることができるため、上記騒音を低減することができるとともに、ファン効率の低下を抑制することができる。また、膨らみ部の内面に設けた複数の突起によって膨らみ部を設けたことによるスクロールケーシングの有効流路面積の拡大をより滑らかにし、流路面積が急拡大することによる圧力損失の増大を抑えるとともに、羽根車から吹出される高乱れ気流による渦を突起によって分散し、スクロールケーシング内面に到達するまでに減衰することができるため、膨らみ部と突起との相乗効果によって、騒音低減効果を一段と向上することができる。
【００２３】
また、本発明の空気調和機によると、空気送風用のファンとして、上述の如く騒音を低減できるとともに、ファン効率の低下を抑制することが可能な多翼遠心ファンを搭載することができるため、運転音の低減およびファン効率の向上を図り、空気調和機の一層の低騒音化、高性能化を実現することができる。
【図面の簡単な説明】
【００２４】
【図１】本発明の一実施形態に係る多翼遠心ファンの平面図である。
【図２】図１に示す多翼遠心ファンのスクロールケーシングの膨らみ部を構成している曲線の中心角と回転軸中心からの半径との関係を示す説明図である。
【図３】図１に示す多翼遠心ファンのスクロールケーシングの膨らみ部の中心角と拡がり角との関係を示す説明図である。
【図４】図１に示す多翼遠心ファンの膨らみ部の内面に設けられる突起の構成を示す部分平面図（Ａ）と、その突起の異なる実施形態の斜視図（Ｂ），（Ｃ）である。
【図５】従来の多翼遠心ファンの平面図である。
【発明を実施するための形態】
【００２５】
以下に、本発明にかかる実施形態について、図面を参照して説明する。
［一実施形態］
以下、本発明の一実施形態について、図１ないし図４を用いて説明する。
図１には、本発明の一実施形態に係る多翼遠心ファンの平面図が示され、図２には、そのスクロールケーシングの膨らみ部の中心角と回転軸中心からの半径との関係説明図が示されている。
多翼遠心ファン１は、樹脂材によって射出成形された上下２分割構造のスクロールケーシング２を備えている。
【００２６】
スクロールケーシング２は、スクロール部（ケーシング側面）の羽根車７の回転軸８と直角な断面形状が、通風路の起点となる舌部３を巻き始めとして、一定の拡がり角αを持つ対数螺旋曲線４によって形成された渦巻き形状とされている。スクロールケーシング２の上面には、ベルマウスを有する空気吸込み口（図示省略）が設けられ、また、舌部３の上流側から接線方向に向けて空気吹出し口５が延長されている。このスクロールケーシング２の内部には、多数のブレード６を備えた羽根車７が、スクロールケーシング２の底面側に固定設置されているファンモータ（図示省略）の回転軸８に対して回転自在に支持されている。
【００２７】
上記多翼遠心ファン１では、ファンモータを介して羽根車７が時計回りに回転されることにより、ベルマウスを介して空気吸込み口から軸方向に吸い込まれた空気が羽根車７の複数枚のブレード６間を通って内周側から外周側へと遠心方向に圧送され、更に、この空気流が、スクロールケーシング２の内周面に沿って周方向へと送られ、吹出し口５から外部へと送出されるようになっている。
【００２８】
羽根車７の回転により、上記の如く空気流が形成される中、スクロールケーシング２の舌部３付近において発生する逆流に対して、羽根車７のブレード６が通過することで発生する流れの乱れが原因で大きな渦が形成され、乱れの大きい乱流領域が生じることが知られている。この乱流領域によって羽根車７から吹出される気流が不安定となり、乱れの大きな気流（高乱れ気流）となって舌部３の下流域へと流出され、これがスクロールケーシング２の内面と干渉することによって、騒音（ＮＺ音）が発生している。
【００２９】
本実施形態では、この高乱れ気流による渦を減衰し、スクロールケーシング２の内面と干渉を緩和するため、スクロールケーシング２に、スクロール部の羽根車７の回転軸８と直角な断面形状が、舌部３を起点として羽根車７の回転方向に所定の中心角θＳの範囲で、拡がり角αが略一定の曲線Ａに対して拡がり角αが漸次大きくされた後、再び拡がり角αが略一定の曲線Ａに一致される局所的な膨らみ部９を設けた構成としている。
【００３０】
この膨らみ部９は、舌部３の下流域で高乱れ気流が発生しやすいとされている、舌部３を起点とした中心角θＳがスクロールケーシング２の巻き角の概ね１／４巻き角程度の範囲に設けられている。また、その拡がり角αは、一般に多翼遠心ファン１において適正値とされている拡がり角が４°〜６°（本例では、５°）で略一定の曲線Ａに対して、拡がり角αが少なくとも１０°以上（本例では、１５°）まで漸次大きくされた後、拡がり角が５°で略一定の曲線Ａに一致されるまで漸次小さくされた構成とされている。
【００３１】
なお、スクロールケーシング２の拡がり角αを最大１５°まで拡大した後、その下流域で拡がり角が５°で略一定の曲線Ａに一致させるためには、拡がり角αが最大とされた位置から拡がり角を少なくとも５°よりも小さくしなければならず、本例では、拡がり角を４°として漸次小さくし、拡がり角が５°で略一定の曲線Ａに一致させている。
【００３２】
また、膨らみ部９は、舌部３を起点とした回転方向への中心角をθＳとしたとき、拡がり角αが１５°で最大となる位置（ピーク位置）の中心角θＳが、図３に示されるように、略４０°とされている。この拡がり角αが最大となるピーク位置は、上記した中心角θＳの範囲内において、好ましくは、１５°≦θＳ≦６０°の範囲に設定することができる。
【００３３】
なお、膨らみ部９の対数螺旋曲線４は、図２に示されるように、舌部３の回転軸８中心からの半径をＲＯ、中心角θＮ、θＮ＋１位置での半径をそれぞれＲＮ、ＲＮ＋１としたとき、
ＲＮ＋１＝ＲＮ×ｅｘｐ（αＮ＋１・（θＮ＋１−θＮ））  ただし、αＮ＋１；拡がり角
で表すことができる。
【００３４】
さらに、本実施形態においては、スクロールケーシング２の膨らみ部９の内面に、図４（Ａ）に示されるように、内側に凸状とされた複数の突起１０が設けられた構成とされている。該突起１０は、例えば、図４（Ｂ）に示されるように、半球状の突起１０Ａであってもよいし、あるいは図４（Ｃ）に示されるように、上方側ほど径が小さくされた半円柱状の突起１０Ｂであってもよく、様々に形状の突起とすることができる。特に、射出成形される樹脂製スクロールケーシング２の場合は、上下に２分割構造とされるケーシングの分割面側に向って型の抜き勾配を有する突起１０Ｂのような形状とすることが望ましい。
【００３５】
また、これらの突起１０，１０Ａ，１０Ｂは、図４（Ａ）に示されるように、複数の突起１０，１０Ａ，１０Ｂの先端を繋いだ曲線が、拡がり角αが略一定の曲線Ａと概ね一致するように設けるのが望ましい。
【００３６】
以上に説明の構成により、本実施形態によれば、以下の作用効果を奏する。
上記したように、多翼遠心ファン１では、舌部３付近において乱れの大きい乱流領域が生じ、この乱流領域によって羽根車７から吹出される気流が不安定となり、乱れの大きい気流（高乱れ気流）となって舌部３の下流域へと流出される。この高乱れ気流が舌部３の下流域において、スクロールケーシング２の内面と干渉することによって、騒音の発生やファン効率の低下の要因となる。
【００３７】
しかるに、本実施形態では、高乱れ気流がスクロールケーシング２の内面と干渉して圧力変動が大きくなる、舌部３を起点とした中心角がθＳの範囲の領域に、拡がり角αが最大１５°まで漸次拡大されている局所的な膨らみ部９を設けており、この膨らみ部９によって高乱れ気流による渦を減衰するようにしている。このため、スクロールケーシング２の内面での圧力変動を緩和することができ、上記騒音を低減することができるとともに、ファン効率の低下を抑制することができる。なお、膨らみ部９を設けたことによって、２ｄＢ程度の騒音低減効果が得られる。
【００３８】
また、膨らみ部９が、舌部を起点とした中心角θＳがスクロールケーシング２の巻き角の概ね１／４巻き角程度の範囲に設けられているため、羽根車７から吹出される気流が不安定となって乱れが生じやすい中心角θＳが１／４巻き角の範囲のみで、ケーシング２の拡がり角αを大きくし、高乱れ気流を減衰して圧力変動を小さくすることができる。一方、膨らみ部９の下流域では、スクロールケーシング２の拡がり角αを多翼遠心ファン１としての適正値である４°〜６°（本例では、５°）として高い性能を維持することができる。
【００３９】
つまり、本実施形態にかかる多翼遠心ファン１では、一般に、スクロールケーシング２の拡がり角αは、４°〜６°が適正値とされており、大きくし過ぎると性能が低下するとされているが、舌部３を起点とした中心角θＳが上記の範囲のみで拡がり角αを大きくした構成とすることによって、それ以外の領域では、拡がり角αを適正値の例えば５°に設定して高性能を維持しながら、高乱れ気流による騒音の発生や効率の低下を抑制することが可能となる。
【００４０】
また、膨らみ部９の拡がり角αが、少なくとも１０°以上、本実施形態では最大１５°まで漸次大きくされた後、拡がり角αが５°で略一定の曲線Ａに一致されるまで漸次小さくされるようにしている。このため、膨らみ部９の大きさを十分大きくし、膨らみ部９での高乱れ気流に対しての減衰効果を十分に高め、効率的に圧力変動を緩和することが可能となる。従って、より大きな騒音低減効果を得ることができる。
【００４１】
さらに、本実施形態では、膨らみ部９が舌部３を起点とした回転方向への中心角をθＳとしたとき、拡がり角αが最大となるピーク位置を、１５°≦θＳ≦６０°の範囲に設定している。このように、拡がり角αのピーク位置を、１５°≦θＳ≦６０°の範囲、具体的にはピーク位置の中心角θＳを４０°に設定し、舌部３を最適位置に設定して舌部３でのスクロールケーシング２の巻き終り域からの逆流を抑制すると同時に、舌部３の下流域で高乱れ気流による渦が最大となる領域と膨らみ部９の拡がり角αが最大となる位置とを対応させることによって、高乱れ気流の減衰効果を高め、効率的に圧力変動を緩和できるようにしている。このため、より大きな騒音低減効果を得ることができる。
【００４２】
また、上記の多翼遠心ファン１は、空気調和機における空気送風用のファンとして搭載することができる。このような多翼遠心ファン１を空気送風用ファンとして搭載することにより、空気調和機のファン騒音を低減することができるとともに、ファン効率の低下を抑制することができる。このため、運転音の低減およびファン効率の向上を図り、空気調和機の一層の低騒音化、高性能化を実現することができる。
【００４３】
さらに、本実施形態では、膨らみ部９の内面に、内側に凸状とされた複数の突起１０，１０Ａ，１０Ｂを設けており、これによって、膨らみ部９を設けたことによるスクロールケーシング２の有効流路面積の拡大をより滑らかにし、流路面積が急拡大することによる圧力損失の増大を抑制することができる。また、羽根車７から吹出される高乱れ気流による渦を突起１０，１０Ａ，１０Ｂによって分散し、スクロールケーシング２の内面に到達するまでに更に減衰することができる。従って、膨らみ部９と突起１０，１０Ａ，１０Ｂとの相乗効果によって、騒音低減効果を一段と向上することができる。
【００４４】
特に、複数の突起１０，１０Ａ，１０Ｂの先端を繋いだ曲線を、拡がり角αが略一定の曲線Ａと概ね一致させることにより、拡がり角αを略一定とした曲線Ａにより形成されるスクロールケーシング２に対して、スクロールケーシング２の有効流路面積を実質的に一致させ、膨らみ部９および突起１０，１０Ａ，１０Ｂを設けたことによる圧力損失の実質的な増加を略ゼロとすることができる。このため、拡がり角αが略一定のものと実質的に同一の高性能を得ながら、膨らみ部９および突起１０，１０Ａ，１０Ｂを設けたことによる騒音低減効果およびファン効率低下抑制効果を得ることが可能となる。
【００４５】
なお、本発明は、上記実施形態にかかる発明に限定されるものではなく、その要旨を逸脱しない範囲において、適宜変形が可能である。例えば、上記実施形態では、スクロールケーシング２の片面側から空気を吸込む片面吸込み型の多翼遠心ファン１について説明したが、両面吸込み型の多翼遠心ファンにも適用できることは云うまでもない。また、スクロールケーシング２は、樹脂製である必要はなく、金属製のケーシングを用いてもよいことはもちろんである。
【符号の説明】
【００４６】
１  多翼遠心ファン
２  スクロールケーシング
３  舌部
４  対数螺旋曲線
７  羽根車
８  回転軸
９  膨らみ部
１０，１０Ａ，１０Ｂ  突起
Ａ  拡がり角が略一定の曲線
θＳ  中心角
【図１】
0005448874.tif 000002
【図２】
0005448874.tif 000003
【図３】
0005448874.tif 000004
【図４】
0005448874.tif 000005
【図５】
0005448874.tif 000006